(57)【要約】【課題】カメラが移動している途中であっても画像の読み取りが容易で視認性の向上が図れる画像表示装置を提供する。【解決手段】変位検出部１１が、動作開始からの変位を検出し、検出した変位を画像・変位関連記録部１２及び変位変換部１３のそれぞれに出力し、変位変換部１３が、変位検出部１１によって検出された第１の変位を減少させた第２の変位に変換し、画像・変位関連記録部１２が、撮像部１０で撮像された画像と変位検出部１１で検出された変位を関連付けて記録し、画像抽出部１４が、画像・変位関連記録部１２に記録された画像から第２の変位に対応する画像を抽出し、画像表示部１５が、画像抽出部１４で抽出された第２の変位に対応する画像を表示する。これにより、撮像部（カメラ）１０が移動している途中であっても画像の読み取りが容易で視認性の向上が図れる。【選択図】図１
2010288108.tif 000002
【特許請求の範囲】
【請求項１】
撮像手段と、
動作開始からの変位を検出する変位検出手段と、
前記変位検出手段によって検出された第１の変位を減少させた第２の変位に変換する変位変換手段と、
前記変位変換手段によって変換された第２の変位に対応する、前記撮像手段で撮像された画像を表示する画像表示手段と、
を備えた画像表示装置。
【請求項２】
前記撮像手段で撮像された画像と前記変位検出手段で検出された変位を関連付けて記録する画像・変位関連記録手段を備え、
前記画像表示手段は、前記画像・変位関連記録手段に記録された画像に基づき前記第２の変位に対応する画像を表示する請求項１に記載の画像表示装置。
【請求項３】
前記画像・変位関連記録手段に記録された画像から前記第２の変位に対応する画像を抽出する画像抽出手段を備え、
前記画像表示手段は、前記画像抽出手段で抽出された前記第２の変位に対応する画像を表示する請求項２に記載の画像表示装置。
【請求項４】
前記第２の変位に対応する画像を拡大する画像処理手段を備え、
前記画像表示手段は、前記画像処理手段で拡大された前記第２の変位に対応する画像を表示する請求項１乃至請求項３のいずれかに記載の画像表示装置。
【発明の詳細な説明】
【技術分野】
【０００１】
本発明は、カメラで撮像された画像をディスプレイに表示する画像表示装置に関する。
【背景技術】
【０００２】
携帯端末には、カメラで撮像された画像をディスプレイに表示する機能を備えたものがある。この機能には拡大表示機能（ルーペ機能とも呼ばれる）を含むものもある。
【０００３】
また、上記画像表示装置の一種として、ビデオカメラ等の撮像装置があるが、この撮像装置には装置本体の振れが手振れによるものか、パンニングによるものかを判別できる機能を備えたものがある。例えば、特許文献１には、振動を検出する振れ検出手段の出力信号の変位を検出する変位検出手段からの出力信号が所定時間、同一方向の変位信号である場合、パンニング動作中と判断する技術が開示されている。
【０００４】
また、画像の振れを検出する装置として、特許文献２で開示された画像振れ検出装置は、順次入力される画像信号について、各画像の横方向及び縦方向の加算平均を順次算出し、当該演算結果でなる第１及び第２の加算平均信号を送出する第１及び第２の加算平均算出手段と、前記第１及び第２の加算平均信号の変化に応じた傾斜部を検出し、当該検出結果として第１及び第２の傾斜部情報を送出する第１及び第２の傾斜部検出手段と、前記第１及び第２の傾斜部情報を時系列的に検出して、それぞれ前記画像信号の横方向及び縦方向の画像振れとして送出する第１及び第２の動き検出手段とを備えている。
【先行技術文献】
【特許文献】
【０００５】
【特許文献１】特開２００６−０３３５１３号公報
【特許文献２】特開平６−０３８０９１号公報
【発明の概要】
【発明が解決しようとする課題】
【０００６】
ところで、カメラで撮像された画像をディスプレイに表示する従来機能においては、画面表示が速く流れてしまい、カメラが動いている途中は表示されている画像が読み取り難いといった問題があり、視認性が低下してユーザの利便性が損なわれている。特に、文字を読み取る場合に不便であった。また、この問題は拡大表示機能を有する装置ではさらに顕著になる。
【０００７】
本発明は、係る事情に鑑みてなされたものであり、カメラが移動している途中であっても画像の読み取りが容易で視認性の良い画像表示装置を提供することを目的とする。
【課題を解決するための手段】
【０００８】
本発明の画像表示装置は、撮像手段と、動作開始からの変位を検出する変位検出手段と、前記変位検出手段によって検出された第１の変位を減少させた第２の変位に変換する変位変換手段と、前記変位変換手段によって変換された第２の変位に対応する、前記撮像手段で撮像された画像を表示する画像表示手段と、を備えた。
【０００９】
上記構成によれば、実際の変位（第１の変位）より後戻りする変位（第２の変位）に変換し、変換した変位に対応する撮像手段で撮像された画像を表示するので、撮像手段（カメラ）が移動している途中であっても画像の読み取りが容易で視認性の向上が図れる。
【００１０】
また、上記構成において、前記撮像手段で撮像された画像と前記変位検出手段で検出された変位を関連付けて記録する画像・変位関連記録手段を備え、前記画像表示手段は、前記画像・変位関連記録手段に記録された画像に基づき前記第２の変位に対応する画像を表示する。
【００１１】
上記構成によれば、撮像手段で撮像された画像と変位検出手段で検出された変位を関連付けて記録するので、第２の変位に対応する画像を容易に得ることができる。
【００１２】
また、上記構成において、前記画像・変位関連記録手段に記録された画像から前記第２の変位に対応する画像を抽出する画像抽出手段を備え、前記画像表示手段は、前記画像抽出手段で抽出された前記第２の変位に対応する画像を表示する。
【００１３】
上記構成によれば、画像・変位関連記録手段に記録された画像から第２の変位に対応する画像を抽出し表示することができる。
【００１４】
また、上記構成において、前記第２の変位に対応する画像を拡大する画像処理手段を備え、前記画像表示手段は、前記画像処理手段で拡大された前記第２の変位に対応する画像を表示する。
【００１５】
上記構成によれば、第２の変位に対応する画像を拡大表示することができる。また、第２の変位に対応する画像を拡大表示するようにしても画面表示が速く流れないことから、拡大された画像を容易に読み取ることができる。
【発明の効果】
【００１６】
本発明は、カメラが移動している途中であっても画像の読み取りが容易で視認性の向上が図れる。
【図面の簡単な説明】
【００１７】
【図１】本発明の実施の形態１に係る画像表示装置の概略構成を示すブロック図
【図２】本発明の実施の形態１に係る画像表示装置における画像表示処理を模式的に示す図
【図３】本発明の実施の形態１に係る画像表示装置における画像表示処理を模式的に示す図
【図４】本発明の実施の形態１に係る画像表示装置の動作を説明するためのフローチャート
【図５】本発明の実施の形態２に係る画像表示装置の概略構成を示すブロック図
【図６】本発明の実施の形態２に係る画像表示装置の動作を説明するためのフローチャート
【発明を実施するための形態】
【００１８】
以下、本発明を実施するための好適な実施の形態について、図面を参照して詳細に説明する。
【００１９】
（実施の形態１）
図１は、本発明の実施の形態１に係る画像表示装置の概略構成を示すブロック図である。同図において、本実施の形態の画像表示装置１は、撮像部１０と、変位検出部１１と、画像・変位関連記録部１２と、変位変換部１３と、画像抽出部１４と、画像表示部１５とを備えて構成される。なお、装置を移動した際の画像表示部１５を図２上では１５ａ〜１５ｃと示しており、図３上では１５ａ〜１５ｆと示している。
【００２０】
撮像部１０は、ＣＣＤ（Charge Coupled Device）又はＣＭＯＳ（Complementary Metal Oxide Semiconductor）を有し、被写体を撮像した画像を出力する。変位検出部１１は、加速度センサと積分回路（いずれも図示略）を有し、動作開始時からの撮像部１０の変位を検出する。撮像部１０の変位は加速度センサの出力を２階積分することで得られる。画像・変位関連記録部１２は、半導体メモリ（ＤＲＡＭ、フラッシュＲＯＭ等）あるいはＨＤＤ（ハードディスク装置）を有し、撮像部１０で撮像された画像と変位検出部１１で検出された変位とを関連付けて記録する。撮像部１０からは順次画像が出力され、各画像に対応する変位が関連付けされて記録される。
【００２１】
変位変換部１３は、変位検出部１１によって検出された第１の変位を減少させた第２の変位に変換する。つまり、実際の変位より後戻りする変位に変換する。第２の変位に変換する程度は（即ち、どの程度後戻りするかは）任意に設定又は調整可能である。画像抽出部１４は、変位変換部１３によって変換された変位即ち第２の変位に基づいて画像・変位関連記録部１２に記録された画像から対応する画像を抽出する。これにより、実際の位置よりも前の位置にある画像が抽出される。画像表示部１５は、画像抽出部１４で抽出された画像を表示する。即ち、画像表示部１５は、変位変換部１３によって変換された第２の変位に対応する撮像部１０で撮像された画像を表示する。
【００２２】
図２は、撮像対象２０を撮像したときの画像表示処理を模式的に示す図である。同図において、撮像部１０が撮像開始時に「Ａ」の位置にあるとし、このときは画像表示部１５に「Ａ」が表示される。この際の画像表示部１５を１５ａと示す。その後、ユーザが図面右方向に装置を移動した際に撮像部１０が「Ｅ」の位置に来ると、画像表示部１５ｂに「Ｃ」が表示される。さらに、ユーザが図面右方向に装置を移動した際に撮像部１０が「Ｉ」の位置に来ると、画像表示部１５ｃに「Ｅ」が表示される。なお、図示してないが、「Ａ」、「Ｃ」、「Ｅ」以外の文字も同様にして表示される。なお、ここでは変位は撮像開始地点からの変位とする。
【００２３】
画像表示部１５には、変位変換部１３によって変換された第２の変位に対応する撮像部１０で撮像された画像が表示されることから、図３の１５ｅ、１５ｆに示すように、撮像部１０が撮像対象２０から外れた場合であっても文字を表示することができる。
【００２４】
図４は、本実施の形態の画像表示装置１の動作を示すフローチャートである。変位検出部１１及び変位変換部１３の系の動作と、撮像部１０及び画像・変位関連記録部１２の系の動作と、画像抽出部１４及び画像表示部１５の系の動作とに分けて示している。以下、順次各系の動作を説明する。
【００２５】
（変位検出部１１及び変位変換部１３の系の動作）
図４において、まず変位検出部１１が加速度計測を行う（ステップＳ１０）。次いで、検出した加速度を２階積分して変位を算出する（ステップＳ１１）。そして、算出した変位を画像・変位関連記録部１２に出力する（ステップＳ１２）。次いで、変位変換部１３が、変位検出部１１で検出された変位を変換する（ステップＳ１３）。例えば、１／４を乗ずる。そして、変換した変位即ち第２の変位を画像抽出部１４に出力する（ステップＳ１４）。ステップＳ１０〜ステップＳ１４の処理は繰り返し行われる。
【００２６】
（撮像部１０及び画像・変位関連記録部１２の系の動作）
撮像部１０が画像を撮像する（ステップＳ２０）。次いで、画像・変位関連記録部１２が撮像部１０で撮像された画像と変位検出部１１から得られた変位と関連させて半導体メモリ（あるいはＨＤＤ）１２１に記録する（ステップＳ２１）。ステップＳ２０及びＳ２１の処理は繰り返し行われる。
【００２７】
（画像抽出部１４及び画像表示部１５の系の動作）
画像抽出部１４が変位変換部１３で変換された変位に対応する画像を画像・変位関連記録部１２から抽出し出力する（ステップＳ３０）。次いで、画像表示部１５が画像抽出部１４で抽出された画像を表示する（ステップＳ３２）。ステップＳ３０及びＳ３２の処理は繰り返し行われる。
【００２８】
このように本実施の形態の画像表示装置１によれば、変位検出部１１が、動作開始からの変位を検出し、検出した変位を画像・変位関連記録部１２及び変位変換部１３のそれぞれに出力し、変位変換部１３が、変位検出部１１によって検出された第１の変位を減少させた第２の変位に変換し、画像・変位関連記録部１２が、撮像部１０で撮像された画像と変位検出部１１で検出された変位を関連付けて記録し、画像抽出部１４が、画像・変位関連記録部１２に記録された画像から第２の変位に対応する画像を抽出し、画像表示部１５が、画像抽出部１４で抽出された第２の変位に対応する画像を表示するので、撮像部１０が移動している途中であっても画像の読み取りが容易で視認性の向上が図れる。
【００２９】
（実施の形態２）
図５は、本発明の実施の形態２に係る画像表示装置の概略構成を示すブロック図である。なお、図５において前述した図１の画像表示装置１と共通する部分には同一の符号を付けてその説明を省略する。
【００３０】
本実施の形態の画像表示装置２は、実施の形態１の画像処理装置２に第２の変位に対応する画像を拡大する画像処理部１６を追加したものである。画像表示部１５は、画像処理部１６で拡大された第２の変位に対応する画像を表示する。なお、拡大率は任意に設定又は調整可能である。
【００３１】
図６は、本実施の形態の画像表示装置２の動作を示すフローチャートである。図４に示す実施の形態１の画像処理装置２の処理にステップＳ３１の処理を追加したものである。即ち、ステップＳ３０で画像抽出部１４が変位変換部１３で変換された第２の変位に対応する画像を画像・変位関連記録部１２から抽出し出力した後、ステップＳ３１で画像処理部１６が画像抽出部１４によって抽出された第２の変位に対応する画像を拡大する。そして、ステップＳ３２で画像表示部１５が画像処理部１６で拡大された第２の変位に対応する画像を表示する。
【００３２】
このように本実施の形態の画像表示装置２によれば、第２の変位に対応する画像を拡大表示することができる。また、第２の変位に対応する画像を拡大表示するようにしても画面表示が速く流れないことから、拡大された画像を容易に読み取ることができる。
【産業上の利用可能性】
【００３３】
本発明は、カメラが移動している途中であっても画像の読み取りが容易で視認性の向上が図れるといった効果を有し、カメラを搭載した携帯電話等の携帯端末や、ビデオカメラ等の撮像装置への適用が可能である。
【符号の説明】
【００３４】
１、２  画像表示装置
１０  撮像部
１１  変位検出部
１２  画像・変位関連記録部
１３  変位変換部
１４  画像抽出部
１５、１５ａ〜１５ｆ  画像表示部
１６  画像処理部
１２１  半導体メモリ
【図１】
2010288108.tif 000003
【図２】
2010288108.tif 000004
【図３】
2010288108.tif 000005
【図４】
2010288108.tif 000006
【図５】
2010288108.tif 000007
【図６】
2010288108.tif 000008